(57)【要約】【課題】  顧客は自らの所望する写真の焼き増し依頼を容易に行うことを可能にすることができるとともに、写真店舗主は顧客の所望する写真の品質を的確に把握し、顧客により好まれる現像される写真を提供することができるサービスシステムの提供。【解決手段】  写真店舗が所有するサーバと、顧客が所有する顧客端末と、顧客端末とサーバをアクセス可能にし画像データを保存する画像データ保存手段を有するデジタル記憶媒体からなり、サーバは、写真の品質に関する品質情報を顧客毎に保存する保存手段と、画像注文データを受信する画像注文データ受信手段と、画像注文データを送信した顧客端末を特定する顧客特定手段と、顧客特定手段に於いて特定された顧客端末を基に保存手段から品質情報を検出する第１検出手段を有することを特徴とする。【選択図】  図２
2006202064.tif 000002
【特許請求の範囲】
【請求項１】
写真店舗に於ける画像データ受け渡しに関するサービスシステムであって、写真店舗が所有するサーバと、顧客が所有する顧客端末と、前記サーバと前記顧客端末を結ぶ通信ネットワークと、前記通信ネットワークを介して前記顧客端末と前記サーバをアクセス可能にする手段と前記顧客が前記写真店舗でプリントを依頼した画像データを保存する画像データ保存手段を有するデジタル記憶媒体からなり、
前記サーバは、
顧客の写真の品質に関する品質情報を前記顧客毎に保存する保存手段と、
前記顧客端末から送信される画像注文データを受信する画像注文データ受信手段と、
前記受信手段に於いて受信した前記画像注文データから、該画像注文データを送信した顧客端末を特定する顧客特定手段と、
前記顧客特定手段に於いて特定された顧客端末を基に前記保存手段から品質情報を検出する第１検出手段を有することを特徴とする写真店舗に於ける画像データ受け渡しに関するサービスシステム。
【請求項２】
前記品質情報は、顧客が写真店舗に現像された写真を受け取りに来た場合に又は、顧客の画像データを実際に現像した場合に、入力手段により入力されることを特徴とする請求項１記載の写真店舗に於ける画像データ受け渡しに関するサービスシステム。
【請求項３】
前記保存手段に複数の前記品質情報が存在する場合に於いて、前記第１検出手段は複数の該品質情報の平均を算出して検出することを特徴とする請求項１又は２に記載の写真店舗に於ける画像データ受け渡しに関するサービスシステム。
【請求項４】
前記サーバの前記保存手段は、さらに、画像注文データを受信した回数に応じるサービス情報が格納され、
前記サーバは、前記顧客特定手段に於いて顧客端末が特定された場合に、この顧客端末からの前記画像注文データを受信した回数を算出し、該回数に応じるサービス情報を検出する第２検出手段を有することを特徴とする請求項１乃至３いずれかに記載の写真店舗に於ける画像データ受け渡しに関するサービスシステム。
【請求項５】
前記サーバは、さらに、
前記顧客端末から送信される画像注文データに注文内容に沿ったプリントに必要な日数や費用のデータを付加して返送する返送手段を有することを特徴とする請求項１乃至４いずれかに記載の写真店舗に於ける画像データ受け渡しに関するサービスシステム。
【発明の詳細な説明】
【技術分野】
【０００１】
本発明は、写真店舗に於ける画像データ受け渡しに関するサービスシステムに関し、より詳しくは、大容量の通信ネットワークを利用することによって、写真化される前の保存される媒体に左右されず、顧客が所望する写真の焼き増しを行う際に、顧客が焼き増しする写真のデータを収めたデジタル記憶媒体を作成することで、顧客は自らの所望する写真の焼き増し依頼を容易に行うことを可能にすることができるとともに、写真店舗主は顧客の所望する写真の品質を的確に把握し、顧客により好まれる現像される写真を提供することができる写真店舗に於ける画像データ受け渡しに関するサービスシステムに関する。
【背景技術】
【０００２】
従来、画像（若しくは写真）をプリントしようとした場合には、画像のプリントを所望する顧客は、銀塩フィルムやデジタル記憶媒体を写真店舗の店頭まで持参し画像のプリントを依頼していた。
特に、出来上がった写真の焼き増しを行う場合には、顧客が再度店頭に銀塩フィルムやネガ等を持参し、所望する写真の焼き増しを依頼し、更に焼き増しされた写真を取りに来なければならず、写真店舗に何度も足を運ぶことになり顧客にとって煩わしい作業であった。
最近では、上記したような顧客の煩わしさを解消するために、写真店舗のサーバ等に顧客の写真情報となる銀塩フィルムやデジタル記憶媒体を保存させ、顧客の注文によってサーバ等から写真のデータを抽出し、顧客の来店までに焼き増しを行う発明が考え出された（例えば、特許文献１若しくは特許文献２参照）。
【０００３】
しかしながら、上記したような発明では、写真店舗に写真化される前のデータ（銀塩フィルムやデジタル記憶媒体等）が常時保存されることになり、写真化される前のデータの漏洩の恐れや長期間時間のたった写真化される前のデータは、写真店舗の裁量で勝手に消去されてしまう可能性があった。
特に、今日のようにハッカーによるハッキング行為による個人情報の漏洩やプライバシーの侵害、各種ウイルスによるサーバダウンなどセキュリティー面での問題やプライバシーの問題等様々な問題があった。
また、銀塩フィルムや携帯端末の画像データもそのままで保存管理されていた。
【０００４】
このような問題点から、顧客が写真店舗に現像を依頼した画像データをCD-ROM等の記憶媒体に記録し、この記憶媒体から通信ネットワークを介して、写真店舗へ画像データの焼き増しの注文を行う発明が創出されている（例えば、特許文献３又は特許文献４参照）。
【０００５】
しかしながら、これらの特許文献３や４に開示される発明では、デジタル記憶媒体に画像データと写真店舗のサーバにアクセスを自動的に行うアクセス手段の開示は認められても、これらを利用することによって、より顧客の所望する綺麗な写真画像を現像する技術やより顧客に好まれるサービスを提供することはできず、単に現像する画像データを、通信ネットワークを利用して送信する技術に過ぎなかった。
このため、写真店舗主にとって、顧客毎に適切なサービスを提供することができ且つ、顧客に好まれる品質を有する写真の現像を行うことを可能にするとともに、顧客にとって、容易に焼き増し依頼を行うことができ且つ自らが所望する品質を有する写真を受け取ることができる写真店舗に於ける画像データ受け渡しに関するサービスシステムの創出が望まれていた。
【０００６】
【特許文献１】特開２００２−４１８８９号公報
【特許文献２】特開２００２−１９６４３１号公報
【特許文献３】特開２００２−３５１９２２号公報
【特許文献４】特開２００４−２２０３９７号公報
【発明の開示】
【発明が解決しようとする課題】
【０００７】
本発明は、このような実情に鑑みてなされたもので、大容量の通信ネットワークを利用することによって、写真化される前の保存される媒体に左右されず、顧客が所望する写真の焼き増しを行う際に、顧客が焼き増しする写真のデータを収めたデジタル記憶媒体を作成することで、顧客は自らの所望する写真の焼き増し依頼を容易に行うことを可能にすることができるとともに、写真店舗主は顧客の所望する写真の品質を的確に把握し、顧客により好まれる現像される写真を提供することができる写真店舗に於ける画像データ受け渡しに関するサービスシステムに関する。
【課題を解決するための手段】
【０００８】
請求項１記載の発明は、写真店舗に於ける画像データ受け渡しに関するサービスシステムであって、写真店舗が所有するサーバと、顧客が所有する顧客端末と、前記サーバと前記顧客端末を結ぶ通信ネットワークと、前記通信ネットワークを介して前記顧客端末と前記サーバをアクセス可能にする手段と前記顧客が前記写真店舗でプリントを依頼した画像データを保存する画像データ保存手段を有するデジタル記憶媒体からなり、前記サーバは、顧客の写真の品質に関する品質情報を前記顧客毎に保存する保存手段と、前記顧客端末から送信される画像注文データを受信する画像注文データ受信手段と、前記受信手段に於いて受信した前記画像注文データから、該画像注文データを送信した顧客端末を特定する顧客特定手段と、前記顧客特定手段に於いて特定された顧客端末を基に前記保存手段から品質情報を検出する第１検出手段を有することを特徴とする写真店舗に於ける画像データ受け渡しに関するサービスシステムを提供する。
【０００９】
請求項２記載の発明は、前記品質情報は、顧客が写真店舗に現像された写真を受け取りに来た場合に又は、顧客の画像データを実際に現像した場合に、入力手段により入力されることを特徴とする請求項１記載の写真店舗に於ける画像データ受け渡しに関するサービスシステムを提供する。
【００１０】
請求項３記載の発明は、前記保存手段に複数の前記品質情報が存在する場合に於いて、前記第１検出手段は複数の該品質情報の平均を算出して検出することを特徴とする請求項１又は２に記載の写真店舗に於ける画像データ受け渡しに関するサービスシステムを提供する。
【００１１】
請求項４記載の発明は、前記サーバの前記保存手段は、さらに、画像注文データを受信した回数に応じるサービス情報が格納され、前記サーバは、前記顧客特定手段に於いて顧客端末が特定された場合に、この顧客端末からの前記画像注文データを受信した回数を算出し、該回数に応じるサービス情報を検出する第２検出手段を有することを特徴とする請求項１乃至３いずれかに記載の写真店舗に於ける画像データ受け渡しに関するサービスシステムを提供する。
【００１２】
請求項５記載の発明は、前記サーバは、さらに、前記顧客端末から送信される画像注文データに注文内容に沿ったプリントに必要な日数や費用のデータを付加して返送する返送手段を有することを特徴とする請求項１乃至４いずれかに記載の写真店舗に於ける画像データ受け渡しに関するサービスシステムを提供する。
これらの発明を提供することによって、上記課題を悉く解決する。
【発明の効果】
【００１３】
請求項１記載の発明によって、大容量の通信ネットワークを利用することによって、写真化される前の保存される媒体に左右されず、顧客が所望する写真の焼き増しを行う際に、顧客が焼き増しする写真のデータを収めたデジタル記憶媒体を作成することで、顧客は自らの所望する写真の焼き増し依頼を容易に行うことを可能にすることができるとともに、写真店舗主は顧客の所望する写真の品質を的確に把握し、顧客により好まれる品質を有する写真を提供することができる写真店舗に於ける画像データ受け渡しに関するサービスシステムを提供することができる。
また、このシステムを利用することによって、顧客は、焼き増しをこの写真店舗で行えば行うほど、顧客自らにとってより好適なサービスを享受することになるので、顧客及び写真店舗主にとって極めて効果的なシステムを提供することができるようになる。
【００１４】
請求項２記載の発明によって、入力手段により入力される品質情報が、顧客が現像写真を受け取りに来た際に、又は顧客の画像データを実際に現像した場合に、入力されるので、顧客の所望する写真の品質を確実に確認して品質情報としてサーバに蓄積することができる写真店舗に於ける画像データ受け渡しに関するサービスシステムを提供することができる。
【００１５】
請求項３記載の発明によって、複数の品質情報が蓄積された場合に、これら品質情報の平均を算出することによって、より顧客の好みに応じる写真の品質情報を取得することができ、より顧客の好みに応じる品質の写真を現像することができる写真店舗に於ける画像データ受け渡しに関するサービスシステムを提供することができる。
【００１６】
請求項４記載の発明によって、画像注文データの受信回数を算出し、この回数に応じるサービスを提供することができるので、顧客端末の回数データに応じるサービス情報を付与することができるようになり、顧客毎の回数データ（焼き増し回数）に応じるサービスを提供することができる写真店舗に於ける画像データ受け渡しに関するサービスシステムを提供することができる。
【００１７】
請求項５記載の発明によって、顧客端末を利用してプリントの注文を行った顧客は、自らの顧客端末にその注文の内容を確認することができるとともに、プリントに必要な日数や費用のデータから注文を行ったプリントを受取ることができる仕上がり日やその費用も確認することができる。また、顧客は、写真店舗を訪れる際の日程及び費用を確実に且つ極めて効果的に通知され、自らが写真店舗を訪れる予定を極めて効率良く考慮することができる写真店舗に於ける画像データ受け渡しに関するサービスシステムを提供することができる。
【発明を実施するための最良の形態】
【００１８】
本発明を実施するための最良の形態を説明する。
尚、本発明で使用する「画像データ」と言う文言は、銀塩フィルムでの写真、デジタル写真やデジタル映像の静止画、文字やイラスト等の静止画像データ等を示している。
また、本発明で使用する「写真プリント機」と言う文言は、ミニラボ等のような画像データをプリント出力できる装置を示している。
【００１９】
図１は、本発明に係る写真店舗に於ける画像データ受け渡しに関するサービスシステムの全体概略図である。本発明は写真店舗に於ける画像データ受け渡しに関するサービスシステム（１００）であって、サーバ（１）と、顧客端末（３）と、通信ネットワーク（５）とデジタル記憶媒体（図示せず）から構成される。
【００２０】
サーバ（１）は、写真店舗が所有するデータを管理保管するサーバであり、図１に示す如く、通信ネットワーク（５）と常時接続されている。
このサーバ（１）は、特に限定されないが、写真店舗の店内に設置されることが好ましく、図１では１台しか示していないが、複数台設置されてもよい。
このサーバ（１）が有する後述する手段（機能）は、１つのサーバに集積させてもよいし、１店舗内の複数のサーバに手段（機能）を分散させてもよい。
写真店舗の店内にサーバ（１）を設置することで顧客から直接的に顧客の写真の注文のデータをサーバ（１）が受取り、他のサーバを経由せず中間作業等が省けるからである。
【００２１】
このサーバ（１）は、図２で示す如く、保存手段（１１）と、画像注文データ受信手段（１２）と、顧客特定手段（１３）と、第１検出手段（１４）と、第２検出手段（１５）と、入力手段（１６）と返送手段（１７）と出力手段（１８）を有している。
【００２２】
保存手段（１１）は、顧客の要望した写真の品質に関する品質情報を顧客毎（顧客端末（３）毎）に保存する。
この品質情報とは、顧客が依頼した画像データを写真店舗主が写真現像した際に行う調整情報を示しており、例えば、明度や濃淡の調整に関する補正情報や、写真の色合い（赤みや青み）を調整するカラー調整（補正）に関する補正情報や、ピント改善処理（シャープネス処理）やフィルムの傷取り等に関する補正情報等を例示することができる。
これらの補正情報は、各補正情報自体をパラメータ化したり、各補正情報を構成する各情報を適宜各パラメータ（要素）としてパラメータ化したりして設定されることが好ましい。具体的には、各種パラメータを０〜１００までの数値データとして設定したり、「非常に濃い、濃い、普通、薄い、非常に薄い」等の複数の段階で設定したりすることができる。また、濃淡情報や写真の濃度（Density）を「−１０〜＋１０」の範囲で設定したり、色彩（色）を「CMY：−１０〜＋１０」や「RGB：−１０〜＋１０」の範囲で設定したりして補正情報として設定することもできる。
この品質情報は、顧客が画像データを依頼し実際現像を行った後に、現像された写真の品質情報を、顧客を識別するための識別子（識別番号）を付与して、サーバ（１）の保存手段（１１）に蓄積（記録）させておく。このことによって、新たなる顧客であっても、焼き増しの注文に対して適宜対応することができる。
尚、この品質情報は、後述する入力手段（１６）によってサーバ（１）の保存手段（１１）に入力される。
また、品質情報は、顧客が写真を写真店舗に受け取りに来た場合又は、顧客の画像データを実際に現像した場合に、新たなる品質情報として入力手段（１６）により入力されることになる。
【００２３】
この保存手段（１１）には、さらに、画像注文データを受信した回数に応じるサービス情報が格納されている。
このサービス情報とは、焼き増し注文である画像注文データを利用した回数に応じて提供することのできるサービスであり、写真店舗主によって適宜設定することができる。このサービスとしては、回数が増加するにしたがって割引率が増加するサービスや、指定回数を超えると顧客にとって、通常の顧客よりも得するサービスであれば特に限定されず、このようなサービス情報とともに、このサービスを提供される顧客の回数（回数情報）と合わせて、保存手段（１１）に記録させておく。
このように、サービス情報と回数情報を合わせて記録することによって、顧客の利用回数に応じるサービス情報を適宜検出して、顧客や写真店舗主に提示することができる。
【００２４】
画像注文データ受信手段（１２）は、顧客端末（３）から送信される画像注文データを受信する。この画像注文データは、後述するデジタル記憶媒体により作成され、顧客端末を識別するための識別子、顧客がプリントを所望する画像データ、プリントする画像の枚数及び大きさ、顧客が所望するプリント完成の日時のデータ、受け渡し方法、決済方法を有している。
【００２５】
顧客特定手段（１３）は、画像注文データ受信手段（１２）に於いて受信された画像注文データから、この画像注文データを送信した顧客端末（３）を特定する。
この顧客特定手段（１３）が行う顧客端末（３）の特定方法は、画像注文データに顧客の識別子が付与されているので、この識別子を利用することによって顧客端末（３）を識別する方法を例示することができる。
【００２６】
第１検出手段（１４）は、顧客特定手段（１３）に於いて特定された顧客端末を基に保存手段（１１）から、特定される顧客端末（３）が有する品質情報を検出する。
この第１検出手段（１４）が品質情報を検出する場合、特定された顧客端末（３）に基づいて記録される品質情報が複数ある場合（複数回焼き増し注文を行ったことのある場合）には、これら複数の品質情報の平均を算出して、検出する。
このように、複数の品質情報が存在する場合には、この第１検出手段（１４）が検出した品質情報を保存手段（１１）に記録することが好ましい。
【００２７】
第２検出手段（１５）は、サーバ（１）が画像注文データを受信した場合に、画像注文データを受信した回数を算出し、該回数に応じるサービス情報を検出する。
この第２検出手段（１５）は、顧客特定手段（１３）によって顧客端末（３）を識別する識別子により顧客端末（３）が特定されているので、この特定された顧客端末（３）が行った以前の画像注文データを受信した回数を算出して回数情報を決定する。次に、この回数情報を基にして、保存手段（１１）に保存される回数情報から一致する回数情報に付与されるサービス情報を検出することになる。
【００２８】
入力手段（１６）は、サーバ（１）の保存手段（１１）に記録される顧客端末（３）を識別するための識別子や顧客情報、顧客の品質情報、回数情報が付与されるサービス情報等を入力する。
この入力手段（１６）は、キーボードやマウス等の入力装置を採用することができる。
【００２９】
返送手段（１７）は、顧客端末（３）から送信される画像注文データに、注文内容に沿ったプリントに必要な日数や費用のデータを付加して返送情報を作成し返送する。
尚、この返送情報は、顧客端末（３）に返送するとともに、サーバ（１）の保存手段（１１）に注文履歴情報として各顧客端末（３）毎に記録される。
この返送情報を顧客端末（３）に返送することによって、顧客端末（３）を利用して現像（プリント）の注文を行った顧客は、自らの顧客端末（３）にその注文の内容を確認することができるとともに、送信されてくるプリントに必要な日数や費用のデータから注文を行ったプリントを受取ることができる仕上がり日やその費用も確認することができる。
また、写真店舗主は、顧客の注文内容を確認することができるとともに、この顧客の履歴情報を確認することができ、顧客の現像依頼状況を把握することができる。
【００３０】
出力手段（１８）は、保存手段（１１）と、画像注文データ受信手段（１２）と、顧客特定手段（１３）と、第１検出手段（１４）と、第２検出手段（１５）と、入力手段（１６）と返送手段（１７）等の各手段に於ける情報やデータを表示する。
【００３１】
サーバ（１）は、さらに、画像処理データ送信手段（図示せず）を有していてもよい。この画像処理データ送信手段は、受信された画像データを写真プリント機に送信する手段である。画像注文データを写真プリント機に送信することで、写真プリント機が実際に画像注文データに沿って画像データをプリントしていくことになる。
尚、保存手段（１１）は、受信された画像注文データを所定の期間中保存する手段であり、画像注文データが写真プリント機に送信されると共に画像注文データは所定の期間保存されることになる。
この画像注文データが保存される期間は、写真店舗にあるサーバ（１）が画像データを受け取った瞬間から画像注文データを送信した顧客が写真店舗でプリントされた画像を受取った際までが好ましい。
写真プリント機で画像処理される前に画像注文データを消去すると、顧客が間違って注文した場合の写真店舗の責任ではないことが証明できず、顧客が写真を受取った以降もサーバ（１）に保存しているとサーバ（１）に不正アクセスした者によって画像データの漏洩の可能性が極めて高くなるからである。
【００３２】
サーバ（１）は、画像注文データを作成する手段をホームページ上で配布する画像注文データ配布手段（図示せず）を有していると共に顧客端末（３）は、サーバ（１）にある画像注文データ配布手段から注文データを作成する手段を顧客端末（３）に取り込む手段を有しても構わない。
画像注文データ配布手段は、画像注文データ作成を可能にする手段（例えばソフトウエア等）をサーバ（１）のホームページ上で配布する（ダウンロードさせる）手段と共に顧客端末（３）がサーバ（１）にある画像注文データ配布手段からダウンロードすることによって、画像注文データを作成できる手段を有することが好ましい。
この画像注文データ配布手段はサーバ（１）のホームページ上で配布することが好ましいが、別のＷＥＢサーバ上で配布しても構わない。
サーバ（１）のホームページ上で画像注文データ作成を可能にする手段をダウンロード可能にすることによって、顧客が写真店舗に出向かなくても、顧客端末（３）での操作によって、画像注文データを作成することが可能となり、画像データを画像注文データに添付し、サーバ（１）に送信し注文を行うことができる。
ダウンロードして画像注文データ作成を可能にする手段には、画像注文データを作成する方法とサーバ（１）に送信しプリントしたい画像データを圧縮する方法（例えば、ファイル圧縮ソフトウエア若しくはファイル圧縮機能を具備させる）を添付しておくことが好ましい。
画像データを圧縮させる方法を添付させることで、データ送信量が少なくなり、データ送受信間に係る費用・時間が節約できるからである。
【００３３】
尚、ホームページ上で画像注文データを受け付けた際に、サーバ（１）が、受信した画像データを上述したデジタル記憶媒体に保存するための装置に転送する転送手段（図示せず）を有していることが好ましい。
このように転送手段を有することによって、ホームページ上で依頼を受け付けた際にも、デジタル記憶媒体が作成されることになる。
【００３４】
顧客端末（３）は、顧客が所有するコンピュータ端末であり、通信ネットワーク（５）と接続可能であればコンピュータの機能は問わないが、本発明の実施例を行う際に通信ネットワーク上でデータの送受信を行うため、データ送受信が快適に行われるためにも十分な通信速度を有するコンピュータ端末を使用することが好ましい。
尚、この顧客端末（３）は、デスクトップ型やタワー型、一体型、スタンドアローン型やノート型等の汎用コンピュータでもよい。また、携帯型や携帯電話型でもよい。
尚、携帯端末型としては、携帯電話、携帯情報端末（PDA：Personal Digital Assistant）、モバイルパーソナルコンピュータ等更にそれらにカメラ等が付随している物で画像データを有線無線を問わず送信できる物全てを含む。
これらの携帯端末を使用してサーバ（１）に画像データを送信する際には、E-メール等に画像データと画像の枚数やサイズを記載し画像プリントの注文を行うか、又は、予めこれら携帯端末に上述したような画像注文データ作成手段を具備させてもよい。
【００３５】
通信ネットワーク（５）は、サーバ（１）及び顧客端末（３）を繋ぐ通信ケーブルである。通信ネットワーク（５）は、特に限定されないが、インターネットや一般の電話回線や光ファイバケーブル等の通信ネットワークでよいが、特に、本発明に係る発明を実施するには、写真画像データのような大容量のデータの送受信を行うため、大容量のデータ通信を可能にする通信ネットワークが好ましい。
【００３６】
デジタル記憶媒体は、顧客の画像データを、デジタル記憶媒体に保存する画像データ保存手段と、画像注文データを作成する注文データ作成手段を有している。
画像データ保存手段は、顧客がプリントを依頼した画像のデータが保存されている。
デジタル記憶媒体は、写真店舗で顧客がプリントを所望したプリントされた画像を受取る際に一緒に渡される。
デジタル記憶媒体に保存しておく画像データは、顧客がプリントした画像及びおまけ画像（後述する）に固有の識別子（識別番号等）を付与することが好ましい。
識別子で識別できるようにしておくことによって、顧客が注文する時に画像を識別し易いからである。
本発明に係るデジタル記憶媒体は、特に限定されないが、フレキシブル・ディスク、CD−ROM、MOやDVD等の光学記憶媒体を含むデジタル記憶媒体が好ましい。
デジタル記憶媒体を用いることで、従来のネガを使用するよりも、更に鮮明で、画色に富んだ色彩と、半永久的な保存期間を得られると共に他のデジタル記憶媒体に複製品を製作することが容易に行えるからである。
【００３７】
デジタル記憶媒体は、通信ネットワーク（５）を介して顧客端末（３）とサーバ（１）をアクセス可能にする手段を有している。
通信ネットワーク（５）を介して顧客端末（３）とサーバ（１）をアクセス可能にする手段は、顧客端末（３）にデジタル記憶媒体をセットすると画像注文データ作成プログラムが起動し、注文する際に自動的に通信ネットワーク（５）に接続されていなければ接続を行い、通信ネットワーク（５）に接続する手段である。
この手段を有することによって、記憶媒体の利用時に適宜利用することになり、極めて効率良くコンピュータを利用することができる。
特に、記憶媒体から起動させることによって、通常使用しない端末を使用する場合であっても、この端末の設定を変更することなしに、記憶媒体をドライブにセットするだけで、容易に起動させることができるようになり、極めて簡便に写真画像を閲覧することができる。
【００３８】
画像注文データを作成する注文データ作成手段は、画像注文データを作成するための機能を有している。
画像注文データを作成する方法は、特に限定されないが、画像注文データ作成を可能にする雛型等を準備することが好ましい。
雛型等を設けることで顧客は簡単に画像注文データを作成できる。
画像注文データは、顧客がプリントを所望する画像データ、プリントする画像データの枚数及び大きさ、顧客が所望するプリント完成の日時のデータを含むことが好ましく、画像注文データ作成雛型には、顧客が所望する画像データの識別番号や画像の必要枚数、画像の大きさ等を入力して作成する。
画像注文データは、電子メール等で所望する画像データを添付し画像の必要枚数、画像の大きさを記載してサーバ（１）に送信する方法でもよい。
顧客端末（３）がサーバ（１）にアクセスする際に、自動的にパスコードのような認証をデジタル記憶媒体に保存しておき、デジタル記憶媒体に保存されたパスコードのような認証をサーバ（１）に送信し、アクセスが不正でないかを確認する。
デジタル記憶媒体は、特に限定されないが、自己検索機能を有することが好ましい。
自己検索機能は、デジタル記憶媒体の画像注文データ作成機能が改ざんされた場合や、価格等の変更による画像注文データが新しく更新された場合等に、顧客端末（３）にその旨を出力し、サーバ（１）には、その旨を送信する機能である。
この機能を有することで、サーバ（１）に不正なアクセスを防止すると共に、顧客は現段階に於ける適切な画像注文データを作成することができる。
この自己検索機能は、デジタル記憶媒体により顧客端末（３）がサーバ（１）にアクセスされた際に、自動的に、自らのバージョン番号とサーバ（１）に保存されるバージョン番号を比較して、その番号が適合するかどうか判断し、この番号が異なっている場合には、顧客端末（３）にその旨（番号が異なっていること）を表示する。
【００３９】
デジタル記憶媒体に保存する画像データは、顧客が所望しプリントした画像データを保存すると共に季節に合わせた画像やハガキや試作のカレンダー等で使用可能な画像をおまけデータ（画像）として保存させてもよい。
おまけ画像等をデジタル記憶媒体に保存させることで、顧客は他の画像をも楽しめることになる。
【００４０】
デジタル記憶媒体は、デジタル記憶媒体に保存される画像データを閲覧できる手段を有する。デジタル記憶媒体に保存される画像データを閲覧できる手段は、顧客がデジタル記憶媒体に保存されている画像データを顧客端末（３）に表示して閲覧する手段である。
顧客端末（３）に表示閲覧することで、顧客が画像データを選択する際に目視でき画像データ選択に誤りが生じず、正確な画像データを選択できる。
顧客端末（３）に表示させる方法は、特に限定されないが、画像データの確認ができれば十分なのでサムネイル表示のような画像データを一覧できるように小さくした見本ページとして表示することが好まれる。
【００４１】
デジタル記憶媒体は、保存された画像データの配色変更、トリミング等の調整をすることのできる写真調整手段を有することが望ましい。
保存された画像データを配色変更等の調整することのできる写真調整手段を有することで、顧客が顧客端末（３）に表示される画像データの色彩の調整を行え、顧客が画像データを所望するように調整することができるからである。
【００４２】
画像注文データは、プリント（焼き増し）を行う画像データの識別番号、大きさ、枚数、希望する出来上がり日時、費用等の情報を記入しておく。
画像注文データには、顧客端末（３）へサーバ（１）からデータ等の送信を受信できるように連絡先を記載させることが好ましい。
連絡先は、特に限定されないが、サーバ（１）から画像注文データを受信したことを返信するため、Ｅメールアドレスが好ましい。
【００４３】
デジタル記憶媒体に画像データを保存する方法は、圧縮形式方法若しくは非圧縮形式方法のどちらにも限定されない。
圧縮形式方法は、特に限定されず、顧客が写真店舗に持参した画像を、データ圧縮形式（例えば、ＪＰＥＧ２０００、ＪＰＥＧ、ＧＩＦ、ＰＣＤ、ＦＰＸなど）によって圧縮し、画像データをデジタル記憶媒体に保存させる。
以上が本発明に係る構成の説明である。
【００４４】
次に、本発明の動作について説明する。
図３は、本発明に係る写真店舗に於ける画像データ受け渡しに関するサービスシステムの一実施形態を表すフローチャートである。
顧客はプリントされていない画像をプリントするため銀塩フィルムのようなプリントされていない画像を写真店舗へ持っていく（Ｓ１）。
写真店舗では、プリントされていない画像をプリントすると共にデジタル記憶媒体を作成する（Ｓ２）。
このとき、写真店舗主は、サーバ（１）にこの顧客の識別子を付与するとともに、現像した写真の品質情報を記録する（Ｓ３）。
顧客は、プリントされた画像とプリントされていない画像とデジタル記憶媒体を受取る（Ｓ４）。
【００４５】
顧客は、デジタル記憶媒体を閲覧する。
顧客が顧客端末（３）にデジタル記憶媒体を読み込ませる（Ｓ４）ことで、画像注文データ作成雛型が起動し、顧客はその雛型に沿ってプリントする写真をサムネイル表示を見ながら選択する。
顧客の所有するデジタル記憶媒体の自己検索機能によって、デジタル記憶媒体が改ざんされていたり更新されていない古いものであったりした場合に、顧客は、新しい画像注文データ作成手段（ソフトウェア等）をダウンロードして取得する（図示せず）。
顧客がデジタル記憶媒体に保存されている画像データの中から顧客が所望する焼き増しをしたい画像の枚数、サイズ、プリント完成（仕上がり）希望日等を記入し画像注文データをサーバ（１）に送信する（Ｓ５）。
【００４６】
サーバ（１）は、顧客端末（３）から受信した画像注文データを画像注文データ受信手段（１２）に於いて受信する（Ｓ６）。
画像注文データ受信手段（１２）に於いて、画像注文データを受信すると、顧客特定手段（１３）によって、この画像注文データが送信した顧客端末（３）に付与されている識別子を利用して特定する（Ｓ７）。
顧客特定手段（１３）によって、送信した顧客端末が特定されると、第１検出手段（１４）は、保存手段（１１）に記録される特定された顧客端末（３）が有する品質情報を検出する（Ｓ８）。
尚、このとき、第１検出手段（１４）は、特定された顧客端末（３）に基づいて記録される品質情報が複数ある場合には、これら複数の品質情報の平均を算出して検出することになる。
【００４７】
また、顧客特定手段（１３）によって、送信した顧客顧客が特定されると、第２検出手段（１５）は、この特定された顧客の顧客端末（３）の画像注文データを受信した回数を算出し、該回数に応じるサービス情報を検出する（Ｓ９）。
例えば、この顧客が１０回の画像注文を行っていたとすれば、保存手段（１１）に保存される１０回のサービスに付与されるサービス情報である割引率の情報を提示することになる。
第１や第２検出手段（１４，１５）で検出される品質情報やサービス情報を写真店舗主は、出力手段（１８）に於いて出力し閲覧する（Ｓ１０）。
尚、第１及び第２検出手段（１４、１５）で検出される情報は、保存手段（１１）に保存され出力され、後述する返送情報に付与されても構わない。
【００４８】
サーバ（１）は、検出された情報や顧客端末（３）から送信された画像注文データを保存する（Ｓ１１）。
尚、このとき、返送手段（１７）により返送情報が顧客端末（３）へ返送され、顧客端末（３）側で受信される（Ｓ１２）。
画像注文データを写真プリント機に送信し、写真プリント機がプリントを行い、写真店舗主は、品質情報を利用して、焼き増しの注文を受けた画像データを現像する（Ｓ１３）。
【００４９】
顧客は注文確認に記載されたプリント完成期日に従ってプリントされた画像を写真小売店へ受け取りに行く（Ｓ１４）。
尚、顧客はプリントされた画像を受取ると共に画像注文データは消去される。
顧客が、写真店舗に現れると、写真店舗主はサーバ（１）の保存手段（１１）に保存されるこの顧客に関する情報を参照しつつ、品質情報やサービス情報を説明したり、提供したりする（Ｓ１５）。
また、顧客に現像した写真を手渡した際に、写真の品質情報について問い合わせをし、新たな品質情報として入力手段（１６）を使用して入力することもできる。
【図面の簡単な説明】
【００５０】
【図１】本発明に係る写真店舗に於ける画像データ受け渡しに関するサービスシステムの全体概略図である。
【図２】本発明に係るサーバの機能を示すブロック線である。
【図３】本発明に係る写真店舗に於ける画像データ受け渡しに関するサービスシステムの動作を示す。
【符号の説明】
【００５１】
１・・・・サーバ
１１・・・保存手段
１２・・・画像注文データ受信手段
１３・・・顧客特定手段
１４・・・第１検出手段
１５・・・第２検出手段
１６・・・入力手段
１７・・・返送手段
３・・・・顧客端末
５・・・・通信ネットワーク
１００・・写真店舗に於ける画像データ受け渡しに関するサービスシステム
【図１】
2006202064.tif 000003
【図２】
2006202064.tif 000004
【図３】
2006202064.tif 000005